(57)【特許請求の範囲】
【請求項１】
第１データ信号と、前記第１データ信号を検出する検出信号をクランプするクランプ電圧を設定するために用いられる基準信号と、を受信する受信回路であって、
前記基準信号のＨレベル電圧及びＬレベル電圧を検出する振幅調査回路と、
前記検出信号のＨレベル電圧及びＬレベル電圧を前記クランプ電圧にクランプするクランプ回路と、
前記振幅調査回路によって検出された前記基準信号のＨレベル電圧及びＬレベル電圧に基づいて、前記クランプ電圧を前記クランプ回路に対して設定する制御回路と、
前記クランプ回路によってクランプされた前記検出信号に基づいて第２データ信号を生成するデータ信号生成回路を有する受信回路。
【請求項２】
前記データ信号及び前記基準信号は、前記データ信号及び前記基準信号に基づく信号パターンを有する第１信号と、前記第１信号と相補的な信号パターンを有する第２信号として受信され、
前記振幅調査回路は、前記第１信号及び前記第２信号のそれぞれに対して前記基準信号のＨレベル電圧及びＬレベル電圧を検出し、
前記クランプ回路は、前記第１信号を検出する第１検出信号を所定の第１クランプ電圧にクランプすると共に、前記第２信号を検出する第２検出信号を所定の第２クランプ電圧にクランプし、
前記制御回路は、前記第１信号及び前記第２信号のそれぞれに対して検出された前記基準信号のＨレベル電圧及びＬレベル電圧に基づいて、前記第１クランプ電圧及び前記第２クランプ電圧を前記クランプ回路に対して設定する
請求項１に記載の受信回路。
【請求項３】
前記基準信号は、第１データ信号の有する最小パルス幅を有するパルス信号である、請求項１又は２に記載の受信回路。
【請求項４】
前記基準信号は、１パルス信号である、請求項１乃至３のうちいずれか１項に記載の受信回路。
【請求項５】
前記制御回路は、前記クランプ電圧を前記振幅調査回路によって検出された前記基準信号のＨレベル電圧及びＬレベル電圧に設定する
請求項１乃至４のうちいずれか１項に記載の受信回路。
【請求項６】
前記振幅調査回路及び前記クランプ回路は、前記データ信号及び前記基準信号を検出する検出点に選択的に接続され、
前記受信回路が前記基準信号を受信している間は、前記振幅調査回路が前記検出点に接続され、
前記受信回路が前記データ信号を受信している間は、前記クランプ回路が前記検出点に接続される
請求項１乃至５のうちいずれか１項に記載の受信回路。
【請求項７】
前記振幅調査回路は、一方に参照電圧が入力され、他方に前記基準信号が入力されるコンパレータを複数有し、
前記制御回路は、複数の前記コンパレータの判定結果に基づいて、前記クランプ電圧を設定する
請求項１乃至６のうちいずれか１項に記載の受信回路。
【請求項８】
前記クランプ回路は、
前記クランプ電圧のＨレベルを規定する第１可変電源、及びアノードが前記検出点に接続されカソードが前記第１可変電源に接続された第１ダイオードと、
前記クランプ電圧のＬレベルを規定する第２可変電源、及びアノードが前記第２可変電源に接続されカソードが前記検出点に接続された第２ダイオードを有する
請求項１乃至７のうちいずれか１項に記載の受信回路。
【請求項９】
前記データ信号生成回路は、
非反転入力に前記第１信号が入力され、反転入力に前記第２信号が入力されるコンパレータを備え、前記コンパレータの出力に基づいて前記第２データ信号を生成する
請求項２に記載の受信回路。
【請求項１０】
第１データ信号と、前記第１データ信号を検出する検出信号をクランプするクランプ電圧を設定するために用いられる基準信号を送信する送信回路と、
請求項１乃至９のうちいずれか１項に記載の受信回路と、を備えた信号伝送回路。
【請求項１１】
前記送信回路は、
前記基準信号を生成する基準信号生成回路と、
前記データ信号を保持するデータ信号保持回路と、
前記基準信号又は前記データ信号を切り替えて出力する選択回路と、
前記選択回路によって切り替えられた前記基準信号又は前記データ信号を前記受信回路に対して出力する出力回路と、を有する
請求項１０に記載の信号伝送回路。
【請求項１２】
請求項１０又は１１に記載の信号伝送回路を備えた集積回路。
【請求項１３】
送信側から、第１データ信号と、受信側において前記第１データ信号を検出する検出信号をクランプするクランプ電圧を設定するために用いられる基準信号を受信し、
受信側において、前記基準信号のＨレベル電圧及びＬレベル電圧を検出し、
受信側において、検出された前記基準信号のＨレベル電圧及びＬレベル電圧に基づいて、前記検出信号のＨレベル電圧及びＬレベル電圧を前記クランプ電圧にクランプし、
受信側において、前記クランプ電圧にクランプされた前記検出信号から第２データ信号を生成する、信号伝送方法。
【請求項１４】
前記データ信号及び前記基準信号を、前記データ信号及び前記基準信号に基づく信号パターンを有する第１信号と、前記第１信号と相補的な信号パターンを有する第２信号によって受信し、
前記第１信号及び前記第２信号のそれぞれに対して前記基準信号のＨレベル電圧及びＬレベル電圧を検出し、
前記第１信号に対して検出された前記基準信号のＨレベル電圧及びＬレベル電圧に基づいて、前記第１信号から前記データ信号を検出する第１検出信号を第１クランプ電圧にクランプすると共に、前記第２信号に対して検出された前記基準信号のＨレベル電圧及びＬレベル電圧に基づいて、前記第２信号から前記データ信号を検出する第２検出信号を第２クランプ電圧にクランプし、
前記第１クランプ電圧にクランプされた前記第１信号と前記第２クランプ電圧にクランプされた前記第２信号に基づいて前記第２データ信号を生成する
請求項１３に記載の信号伝送方法。
【請求項１５】
前記検出信号のＨレベル電圧及びＬレベル電圧を、前記基準信号のＨレベル電圧及びＬレベル電圧に設定する
請求項１３又は１４に記載の信号伝送方法。
【請求項１６】
前記基準信号は、第１データ信号の有する最小パルス幅を有するパルス信号である、請求項１３乃至１５のうちいずれか１項に記載の信号伝送方法。
【請求項１７】
前記基準信号は、１パルス信号である、請求項１３乃至１６のうちいずれか１項に記載の信号伝送方法。
【発明の詳細な説明】
【技術分野】
【０００１】
本発明は、ＬＳＩ（Ｌａｒｇｅ  Ｓｃａｌｅ  Ｉｎｔｅｇｒａｔｉｏｎ）間の信号伝送を制御する信号伝送回路に関する。
【背景技術】
【０００２】
従来より、データ信号を送信する送信回路と、このデータ信号を受信する受信回路とを備え、ＬＳＩ間の信号伝送を制御する信号伝送回路が知られている。
【０００３】
特許文献１には、送信回路において、出力端子の電圧が電源電圧以下であるときには、出力端子に接続された出力回路に電源電圧を供給し、出力端子の電圧が電源電圧以上であるときには、当該出力回路への電源電圧の供給を停止する回路が開示されている。このように、送信回路の出力端子の電圧を一定に保つことで、伝送路で発生する反射ノイズによる出力端子の電圧への影響を抑制している。
【０００４】
また、特許文献２には、伝送路に信号を出力する送信回路の出力バッファに、基準となる振幅の信号を入力し、受信回路において受信された信号の振幅を予め定めた基準値と比較し、その判定結果に応じて送信回路の出力バッファ回路から出力される信号の振幅を調整することが開示されている。このように、送信回路の出力バッファに供給される定電流値をフィードバック制御し、出力バッファから出力される信号の振幅を必要最小限の値に調整することで、送信回路における消費電力の削減を図っている。
【先行技術文献】
【特許文献】
【０００５】
【特許文献１】特開平９−２４６９４０号公報
【特許文献２】特開２００８−２２７６９６号公報
【発明の概要】
【発明が解決しようとする課題】
【０００６】
特許文献１に係る信号伝送回路においては、送信回路から送出される信号は、伝送される信号パターンに応じて周波数が異なるため、信号パターン毎に受信側に到達する信号のＬレベル、Ｈレベルが異なる。この様子を図７に示す。具体的には、周波数の低い信号パターンＡでは、受信された信号（ＳＣ、ＳＴ）の振幅が大きくなり、周波数の高い信号パターンＢでは、受信された信号（ＳＣ、ＳＴ）の振幅が小さくなる。
【０００７】
ここで、図７に示すように、送信された信号パターンが、周波数の低い信号パターンＡから、周波数の高い信号パターンＢに遷移する場合、受信回路では、周波数の低い信号パターンＡの振幅が大きくなるため、次の信号パターンＢに遷移する際に、信号パターンＢの振幅が、Ｌレベル、Ｈレベルを検出するしきい値ＶｔｈＬ、ＶｔｈＨまで到達せず、信号パターンＢを正確に検出することができない。
【０００８】
また、このような問題点に対し、特許文献２に開示された技術を適用した場合には、信号パターンＢの振幅を確保するために、前の信号パターンＡの振幅を小さくするよう送信回路から出力される信号の振幅を小さく調整する必要がある。しかなしながら、信号パターンＡの振幅を小さくした場合には、図８に示すように、信号パターンＡの両端部の電位がＬレベル、Ｈレベルを検出するしきい値ＶｔｈＬ、ＶｔｈＨまで到達せず、今度は信号パターンＡを正確に検出することができない。
【０００９】
本発明は、このような問題点に対してなされたものであり、送信側から送信されるデータ信号が異なる周波数を含む場合であっても、受信側において正確に信号パターンを検出することができる受信回路を提供することを目的とする。
【課題を解決するための手段】
【００１０】
本発明にかかる受信回路の一態様は、第１データ信号と、前記第１データ信号を検出する検出信号をクランプするクランプ電圧を設定するために用いられる基準信号と、を受信する受信回路であって、前記基準信号のＨレベル電圧及びＬレベル電圧を検出する振幅調査回路と、前記検出信号のＨレベル電圧及びＬレベル電圧を前記クランプ電圧にクランプするクランプ回路と、前記振幅調査回路によって検出された前記基準信号のＨレベル電圧及びＬレベル電圧に基づいて、前記クランプ電圧を前記クランプ回路に対して設定する制御回路と、前記クランプ回路によってクランプされた前記検出信号に基づいて第２データ信号を生成するデータ信号生成回路を有する、ことを特徴とする。
【００１１】
また、本発明にかかる信号伝送方法の一態様は、送信側から、第１データ信号と、受信側において前記第１データ信号を検出する検出信号をクランプするクランプ電圧を設定するために用いられる基準信号を受信し、受信側において、前記基準信号のＨレベル電圧及びＬレベル電圧を検出し、受信側において、検出された前記基準信号のＨレベル電圧及びＬレベル電圧に基づいて、前記検出信号のＨレベル電圧及びＬレベル電圧を前記クランプ電圧にクランプし、受信側において、前記クランプ電圧にクランプされた前記検出信号から第２データ信号を生成する、ことを特徴とする。
【発明の効果】
【００１２】
本発明による受信回路の一態様によれば、送信側から送信されたデータ信号の周波数に関わらず、正確にデータ信号の信号パターンを検出することができる。
【図面の簡単な説明】
【００１３】
【図１】実施の形態にかかる受信回路の構成例を示す図である。
【図２】実施の形態にかかる受信回路においてクランプされた検出信号の波形を示す図である。
【図３】実施の形態にかかる本実施の形態にかかる受信回路を含む信号伝送回路の構成例を示す図である。
【図４】実施の形態にかかる受信回路で受信される基準信号ＳＦＩＸの波形を示す図である。
【図５】実施の形態にかかる受信回路において、基準信号ＳＦＩＸが入力された際に振幅調査回路から制御回路に出力される判定結果信号を示す図である。
【図６Ａ】実施の形態にかかる受信回路においてクランプされた第１検出信号及び第２検出信号の波形を示す図である。
【図６Ｂ】実施の形態に係る受信回路に含まれるデータ信号生成回路の構成例を示す図である。
【図７】特許文献１にかかる回路において、送信回路から伝送路を介して受信回路に出力されるデータ信号の波形を示す図である。
【図８】特許文献２にかかる回路において、送信回路から伝送路を介して受信回路に出力されるデータ信号の波形を示す図である。
【発明を実施するための形態】
【００１４】
実施の形態．
以下、添付した図面を参照して本発明の実施の形態について説明する。図１は、本発明の実施の形態にかかる受信回路１２の構成例を示す図である。図１に示すように、この受信回路１２は、図示しない送信回路から第１データ信号ＳＤＡＴＡを受信し、第１データ信号ＳＤＡＴＡが入力される検出点Ａに現われる検出信号に基づいて第２データ信号を生成する回路である。
【００１５】
図示しない送信回路からは、第１データ信号ＳＤＡＴＡの他に、検出信号をクランプするクランプ電圧を設定するために用いられる基準信号ＳＦＩＸが送信される。この基準信号ＳＦＩＸは、第１データ信号ＳＤＡＴＡと同様に検出点Ａを介して受信回路１２に入力される。例えば、基準信号ＳＦＩＸは、第１データ信号の有する最小パルス幅（最速の周波数）を有するパルス信号とすることができる。具体的には、基準信号ＳＦＩＸを、１パルス信号として構成することができる。
【００１６】
受信回路１２は、検出点Ａにおいて検出される基準信号ＳＦＩＸのＨレベル電圧及びＬレベル電圧を調査する振幅調査回路１３と、検出点Ａに現われる検出信号のＨレベル電圧及びＬレベル電圧を所定のクランプ電圧に設定するクランプ回路１４と、振幅調査回路１３によって検出された基準信号ＳＦＩＸのＨレベル電圧及びＬレベル電圧に基づいて、検出点Ａの信号をクランプするクランプ電圧をクランプ回路１４に対して設定する制御回路１５と、クランプ回路１４によってクランプされた検出信号から第２データ信号を生成するデータ信号生成回路２０を有している。
【００１７】
ここで、クランプ電圧は、検出信号の信号パターンを検出する現在の検出タイミングにおいて、データ信号の電圧レベルを検出できるしきい値ＶｔｈＨ、ＶｔｈＬ以上であり、かつ、次の検出信号の検出タイミングにおいて、現在とは逆の信号パターンのしきい値ＶｔｈＨ、ＶｔｈＬまで遷移できる最大の電圧以下に設定される。具体的には、このクランプ電圧は、振幅調査回路１３によって検出された基準信号ＳＦＩＸのＨレベル電圧及びＬレベル電圧に設定することができる。
【００１８】
振幅調査回路１３及びクランプ回路１４は、スイッチＳＷによって選択的に検出点Ａに接続される。送信回路から基準信号ＳＦＩＸが送信される期間においては、振幅調査回路１３が検出点Ａに接続され、送信回路から第１データ信号ＳＤＡＴＡが送信される期間においては、クランプ回路１４が検出点Ａに接続される。
【００１９】
このように構成される受信回路１２では、振幅調査回路１３において検出された基準信号ＳＦＩＸのＨレベル電圧及びＬレベル電圧に基づいて、検出信号（検出点Ａの電圧）のＨレベル電圧及びＬレベル電圧をクランプすることで、受信されるデータ信号ＳＤＡＴＡの周波数に関わらず、検出点Ａの振幅を一定の範囲にとどめることができる。この効果を、図２を用いて具体的に説明する。図２は、送信回路１１から受信回路１２に送信されたデータの信号パターンと、受信回路１２側でクランプされた検出信号（検出点Ａの電圧）の波形を示す図である。
【００２０】
図２に示すように、データ信号ＳＤＡＴＡの信号パターンが、周波数の低いＬレベルの信号パターンＡから、周波数の高いＨレベルの信号パターンＢに遷移する場合であっても、受信回路１２における検出信号の振幅は、クランプ回路１４によってクランプされた電圧を超えることはない。これにより、データ信号ＳＤＡＴＡの信号パターンが、信号パターンＡから信号パターンＢへ変化する場合であっても、検出信号の電圧を、信号パターンＡに相当するＬレベル電圧から信号パターンＢに相当するＨレベル電圧まで、次の検出信号の信号レベルを検出する検出タイミングまでに瞬時に遷移させることができる。これにより、パターンＢに相当する検出信号を、正確に検出することができる。
【００２１】
また、本実施の形態では、受信回路１２の検出信号をクランプしており、送信回路から送信される信号の振幅は調整していない。そのため、パターンＢを検出するためにパターンＡに相当する検出信号をクランプした場合であっても、検出信号においてパターンＡの両端部は、信号パターンＡのＬレベルを検出するための十分な振幅を確保することができる。これにより、パターンＡに相当する検出信号についても、正確に検出することができる。
【００２２】
図３は、図１に示される受信回路を含む信号伝送回路の構成例を示す図である。この信号伝送回路１００は、図１に示した受信回路１２に加え、受信回路１２に対してデータ信号ＳＤＡＴＡ及び基準信号ＳＦＩＸを送信する送信回路１１を有している。なお、図３に示される受信回路１２は、図１に示す回路構成がより詳細に示されたものである。
【００２３】
図３に示される送信回路１１から送信される信号は、データ信号ＳＤＡＴＡ及び基準信号ＳＦＩＸに基づく信号パターンを有する第１信号ＳＴと、第１信号と相補的な信号パターンを有する第２信号ＳＣからなる相補信号として送信される。受信回路１２においては、第１信号ＳＴの信号パターンを検出する第１検出点Ａ１から検出される基準信号ＳＦＩＸのＬレベル電圧、Ｈレベル電圧を検出し、第１検出点Ａ１に現われる第１検出信号のクランプ電圧を設定する。
【００２４】
同様に、受信回路１２は、第２信号ＳＣの信号パターンを検出する第２検出点Ａ２から検出される基準信号ＳＦＩＸのＬレベル電圧、Ｈレベル電圧を検出し、第２検出点Ａ２に現われる第２検出信号のクランプ電圧を設定する。データ信号生成回路２０は、クランプされた第１検出点Ａ１の第１検出信号と、クランプされた第２検出点Ａ２の第２検出信号に基づいて、第２データ信号を生成する。以下に、送信回路１１と受信回路１２の詳細な構成について説明する。
【００２５】
送信回路１１には、基準信号ＳＦＩＸを生成する基準信号発生回路１６、データ信号ＳＤＡＴＡが保持されるデータレジスタ１７、基準信号発生回路１６から出力される基準信号ＳＦＩＸとデータレジスタ１７から出力されるデータ信号ＳＤＡＴＡを切り替えて出力する選択回路１８、及び選択回路１８の出力を受信回路１２へ送信する送信回路１９を有している。
【００２６】
基準信号発生回路１６は、１パルス生成回路によって構成することができる。送信回路１９は、選択回路１８から出力された基準信号ＳＦＩＸ及びデータ信号ＳＤＡＴＡを、相補信号として伝送路に送出する。すなわち、送信回路１９は、基準信号ＳＦＩＸ及びデータ信号ＳＤＡＴＡを、基準信号ＳＦＩＸ及びデータ信号ＳＤＡＴＡに基づく信号パターンを有する第２信号ＳＴと、第１信号と相補的な信号パターンを有する第１信号ＳＣとして伝送路に送出する。
【００２７】
一方、受信回路１２は、第１信号ＳＣを受信する第１信号クランプ電圧設定回路１２１、第２信号ＳＴを受信する第２信号クランプ電圧設定回路１２２、及び第１信号クランプ電圧設定回路１２１によってクランプされた第１検出信号と第２信号クランプ電圧設定回路１２２によってクランプされた第２検出信号に基づいて第２データ信号を生成するデータ信号生成回路２０とを有している。
【００２８】
第１信号クランプ電圧設定回路１２１及び第２信号クランプ電圧設定回路１２２は、略同一構成を有している。第１信号クランプ電圧設定回路１２１は、第１信号ＳＣとして入力された基準信号ＳＦＩＸのＨレベル電圧及びＬレベル電圧を第１検出点Ａ１において検出し、検出された基準信号ＳＦＩＸのＨレベル電圧及びＬレベル電圧に基づいて、データ信号ＳＤＡＴＡを含む第１信号ＳＣが入力される第１検出点Ａ１を所定のクランプ電圧にクランプする。
【００２９】
同様に、第２信号クランプ電圧設定回路１２２は、第２信号ＳＴとして入力された基準信号ＳＦＩＸのＨレベル電圧及びＬレベル電圧を第２検出点Ａ２において検出する。そして、検出された基準信号ＳＦＩＸのＨレベル電圧及びＬレベル電圧に基づいて、データ信号ＳＤＡＴＡを含む第２信号ＳＣが入力される第２検出点Ａ２を所定のクランプ電圧にクランプする。
【００３０】
以下、第１信号クランプ電圧設定回路１２１を例として、クランプ電圧設定回路１２１、１２２のより具体的な構成について説明する。第１信号クランプ電圧設定回路１２１は、基準信号ＳＦＩＸの振幅を検出する振幅調査回路１３１、及びデータ信号の振幅をクランプするクランプ回路１４１、及び制御回路１５１を有している。振幅調査回路１３１は、受信された基準信号ＳＦＩＸと複数の基準電圧Ｖｒｅｆ１、Ｖｒｅｆ２、…、Ｖｒｅｆｎと比較する比較回路Ｃ１、Ｃ２、…、Ｃｎと、各比較回路Ｃ１〜Ｃｎの比較結果を保持するレジスタＦ１、Ｆ２、…、Ｆｎを有している。比較回路の出力である判定結果信号Ｓ１、Ｓ２、…、Ｓｎは、制御回路１５１に出力される。
【００３１】
また、クランプ回路１４１には、第１検出点Ａ１のＬレベル、Ｈレベルをクランプ（固定）するための、第１可変電圧ＶｃＬ、及び第２可変電圧ＶｃＨを有する。第１可変電圧ＶｃＬ、及び第２可変電圧ＶｃＨの電圧値は、制御回路１５１によって設定される。同様に、第２信号を受信する第２信号クランプ電圧設定回路１２２にも、振幅調査回路１３１及びクランプ回路１４１、制御回路１５１と同様の回路構成を有する振幅回路及びクランプ回路が設けられている（図示せず）。
【００３２】
データ信号生成回路２０は、一方の入力に第１検出点Ａ１が接続され、他方の入力に第２検出点Ａ２が接続された差増増幅器として構成することができる。データ信号生成回路２０は、第１検出点Ａ１と第２検出点Ａ２の電圧の差分を増幅して出力することで、第２データ信号を生成する。
【００３３】
次に、図３を用いて、このように構成された信号伝送回路１００の動作について説明する。まず、送信回路１１において、選択回路１８が、基準信号発生回路１６の出力を選択する。これにより、出力回路１９から基準信号ＳＦＩＸが伝送路を介して受信回路１２に送信される。ここで、送信回路１１から基準信号ＳＦＩＸを送信するタイミングは、例えば、送信回路１１と受信回路１２との間で予め取り決められた初期設定期間に送信するように構成することができる。
【００３４】
送信回路１１から送信された基準信号ＳＦＩＸを図４に示す。基準信号ＳＦＩＸは、具体的には、図４に示すような１パルス信号として構成することができる。受信回路１２では、送信回路１１から基準信号ＳＦＩＸが送出される期間においては、スイッチＳＷによって振幅調査回路１３１が第１検出点Ａ１に接続される。振幅調査回路１３１の有する複数の比較回路Ｃ１、Ｃ２、…、Ｃｎには、それぞれ基準電圧Ｖｒｅｆ１、Ｖｒｅｆ２、…、Ｖｒｅｆｎと、受信された基準信号ＳＦＩＸが入力される。
【００３５】
比較回路Ｃ１、Ｃ２、…、Ｃｎは、参照電圧Ｖｒｅｆと受信された第１信号ＳＣの振幅とを比較して、受信した基準信号ＳＦＩＸのＨレベル電圧ＶｓｉｇＨ及びＬレベル電圧ＶＦＩＸＬを検出する。比較回路Ｃ１、Ｃ２、…、Ｃｎから出力される判定結果信号Ｓ１、Ｓ２、…、Ｓｎは、制御回路１５１に出力される。比較回路Ｃ１、Ｃ２、…、Ｃｎから制御回路１５１に出力される判定結果信号Ｓ１、Ｓ２、…、Ｓｎの具体例を図５に示す。
【００３６】
判定結果信号Ｓ１、Ｓ２、…、Ｓｎに、「０１０１」のパターンが現われた参照電圧がＶｒｅｆ３〜Ｖｒｅｆ７であれば、基準電圧のＨレベル電圧とＬレベル電圧を、それぞれＶＦＩＸＨ＝Ｖｒｅｆ２、ＶＦＩＸＬ＝Ｖｒｅｆ７と判定することができる。なお、第２信号クランプ電圧設定回路１２２においても同様に、第２信号ＳＴによって伝送された基準信号ＳＦＩＸのＨレベル電圧ＶＦＩＸＨと、Ｌレベル電圧ＶＦＩＸＬが検出される。
【００３７】
制御回路１５１は、振幅調査回路１３１によって検出された基準信号ＳＦＩＸのＨレベル電圧ＶＦＩＸＨ及びＬレベル電圧ＶＦＩＸＬに基づいて、クランプ電圧を設定し、クランプ回路１４１の第１可変電圧ＶｃＬ、および第２可変電圧ＶｃＨを調整する。具体的には、制御回路１５１は、クランプ電圧を、基準信号ＳＦＩＸのＨレベル電圧ＶＦＩＸＨ及びＬレベル電圧ＶＦＩＸＬとすることができる。
【００３８】
すなわち、振幅調査回路１３１において検出された基準信号ＳＦＩＸの信号振幅が、図５に示すように、ＶＦＩＸＨ＝Ｖｒｅｆ２、ＶＦＩＸＬ＝Ｖｒｅｆ７となったと仮定すると、制御回路１５１は、データ信号ＶＤＡＴＡのＨレベルをＶｒｅｆ２にクランプ（固定）するように可変電圧ＶｃＨを調整し、ＬレベルをＶｒｅｆ７にクランプするように可変電圧ＶｃＬを調整する。
【００３９】
データ信号生成回路２０は、第１信号クランプ電圧設定回路１２１によってクランプされた第１検出点Ａ１の第１検出信号と、第２信号クランプ電圧設定回路１２２によってクランプされた第２検出点Ａ２の第２検出信号の差分を増幅して第２データ信号を生成する。
【００４０】
図６Ａは、受信回路１２においてクランプされた第１検出信号及び第２検出信号の波形を示す図である。図６Ａの上方の実線は、クランプされた第１検出信号の波形を示し、破線はクランプされた第２検出信号の波形を示している。クランプされた第１検出信号及び第２検出信号は、コモン電圧Ｖｃｏｍを中心に線対称となって現われる。コモン電圧Ｖｃｏｍは、図６Ｂに示すように、抵抗Ｒ１を介して第１検出点Ａ１に供給されると共に、抵抗Ｒ２を介して第２検出点Ａ２に供給される。なお、抵抗Ｒ１とＲ２の関係は、Ｒ１＝Ｒ２であり、かつ、Ｒ１＋Ｒ２は、送信回路１１と受信回路１２との間の伝送路の差動の特性インピーダンスに設定されている。
【００４１】
背景技術にかかる回路では、データ信号に含まれる信号パターンの周波数が異なることにより、信号パターン毎に到達するＬレベル、Ｈレベルが異なり、伝送波形が乱れていたが、本実施の形態においては、受信回路１２側でクランプ電圧を設定するための基準信号ＳＦＩＸに基づいて、検出信号をクランプすることで、図６Ａに示すように第１検出点Ａ１、第２検出点Ａ２の信号振幅のＬレベル及び、Ｈレベルの値を、最も高速な信号が検出できる値にクランプ（固定）することができる。これにより、データの信号パターンがどのような周波数であっても、一定のＬレベル電圧、Ｈレベル電圧となるので、伝送波形を改善でき、良好な信号伝送が可能となる。
【００４２】
なお、本発明は上記実施の形態に限られたものではなく、趣旨を逸脱しない範囲で適宜変更することが可能である。
【００４３】
例えば、上記の実施の形態では、相補信号である第１信号ＳＴ、第２信号ＳＣのそれぞれに対してクランプ電圧を設定していたが、いずれか一方の基準信号ＳＦＩＸの振幅を検出し、この信号振幅に基づいて、第１検出点Ａ１及び第２検出点のクランプ電圧を同じ値に設定してもよい。これにより、上記の実施の形態に比べ回路構成を削減することができる。
【００４４】
なお、上記の信号伝送回路、及び受信回路は、集積回路（ＬＳＩ）に組み込みこむことで実施することができる。
【符号の説明】
【００４５】
１１  送信回路
１２  受信回路
１３、１３１  振幅調査回路
１４、１４１  クランプ回路
１５、１５１  制御回路
１６  基準信号発生回路
１７  データレジスタ
１８  選択回路
１９  送信回路
２０  データ信号生成回路
１００  信号伝送回路
１２１  第１信号クランプ電圧設定回路
１２２  第２信号クランプ電圧設定回路
【図１】
0005402496.tif 000002
【図２】
0005402496.tif 000003
【図３】
0005402496.tif 000004
【図４】
0005402496.tif 000005
【図５】
0005402496.tif 000006
【図６Ａ】
0005402496.tif 000007
【図６Ｂ】
0005402496.tif 000008
【図７】
0005402496.tif 000009
【図８】
0005402496.tif 000010